(57)【要約】【課題】  障害物との干渉を避ける逃げ凹部を有する抽斗の材料コストを低減でき、しかも、その組み立て作業を容易に行うことができる抽斗装置を提供する。【解決手段】  本発明の抽斗装置１は、前方が開口しかつ上部にシンク３を有するキャビネット２と、このキャビネット２に前後方向にスライド自在に収納された抽斗５とを備えている。抽斗５の後部には、キャビネット２内に設置された障害物（排水トラップ４）を避けるための逃げ凹部１１が形成された背面壁８が設けられており、その逃げ凹部１１を形成するための背面壁８を、当該逃げ凹部１１の平面輪郭形状に対応して面外変形可能なフレキシブルプレート８ａにより構成する。【選択図】      図１
2008264207.tif 000002
【特許請求の範囲】
【請求項１】
前方が開口したキャビネットと、このキャビネットに前後方向にスライド自在に収納された抽斗とを備え、前記キャビネット内に設置された障害物を避けるための逃げ凹部が形成された背面壁が前記抽斗の後部に設けられている抽斗装置において、
前記背面壁が前記逃げ凹部の平面輪郭形状に対応して面外変形可能なフレキシブルプレートよりなることを特徴とする抽斗装置。
【請求項２】
前記フレキシブルプレートは、切断用の手動工具を用いて人力で切断可能な厚さの合成樹脂板よりなる請求項１に記載の抽斗装置。
【請求項３】
前記フレキシブルプレートは、前記抽斗の底板の上面に当接してその底板に対する上下方向の位置決めを行なうための当接フランジを有する請求項１又は２に記載の抽斗装置。
【請求項４】
前記逃げ凹部の平面輪郭形状は、折れ点がない状態で連続する曲線部と直線部の組合せ、或いは、折れ点がない状態で連続する曲線部のみから構成されている請求項１〜３のいずれか１項に記載の抽斗装置。
【請求項５】
抽斗を構成する底板に形成した逃げ凹部側の縁に沿って立設される背面壁として使用する、平板状のフレキシブルプレートであって、
前記逃げ凹部の平面輪郭形状に対応して面外変形可能であることを特徴とするフレキシブルプレート。
【請求項６】
切断用の手動工具を用いて人力で切断可能な厚さの合成樹脂板よりなる請求項５に記載のフレキシブルプレート。
【請求項７】
前記底板の上面に当接してその底板に対する上下方向の位置決めを行なうための当接フランジを有する請求項５又は６に記載のフレキシブルプレート。
【請求項８】
キャビネット内に設置された障害物を避けるための逃げ凹部が抽斗の後部に形成されている抽斗装置の製造方法であって、以下の工程（１）〜（３）を含むことを特徴とする抽斗装置の製造方法。
（１）  前記抽斗の構成部材である底板に前記逃げ凹部を形成する工程
（２）  平板状のフレキシブルプレートを前記逃げ凹部の平面輪郭形状に対応して面外変形させる工程
（３）  面外変形させた前記フレキシブルプレートを前記底板の逃げ凹部側の縁に沿って立設する工程
【発明の詳細な説明】
【技術分野】
【０００１】
本発明は、障害物を避けるための逃げ凹部が抽斗の後部に形成された抽斗装置とその製造方法、及び、その抽斗装置に使用するフレキシブルプレートに関する。
【背景技術】
【０００２】
従来、上部にシンクが設けられたキャビネットには、キャビネットの前面を観音開き式に開放する一対の扉が設けられ、キャビネットの内部を収納部とする開き扉式と、収納部である抽斗がキャビネット内にスライド自在に収容される抽斗式とがある。
開き扉式のキャビネットでは、キャビネットの内部空間そのものが収納部となるので、キャビネットの内部空間を有効に活用できるという利点を有するが、キャビネット内の奥部に収納している物の出し入れが困難であり、特にキャビネット内の前側に嵩張るものを収納した場合には、一度これを取り出してからでないとその奥に位置した目的物の出し入れができないという問題点がある。
【０００３】
一方、抽斗式のキャビネットでは、キャビネット内から抽斗が引き出され、開放された上面から物の出し入れが行えるので、使用者にとっては使い勝手が良いという利点を有するが、その反面、後述するように、抽斗の収納スペースの大きさが制限される。
通常、シンク下のキャビネット内には排水トラップが存在し、また最近では、生ごみなどを細かく砕いて下水へ流すためのディスポーザーが設置されることが多い。この場合、抽斗の出し入れにおいて、キャビネット内の排水トラップやディスポーザーが障害になり、当該抽斗の奥行きをキャビネットの奥部まで延ばすことができない。このため、抽斗の収納スペースを拡張できず、その大きさが制限されてしまう。
【０００４】
そこで、排水トラップやディスポーザーなどの障害物（以下、これらを総称する場合には、単に障害物という。）を避けるための逃げ凹部が、抽斗の後部に形成されている抽斗装置がある。
この抽斗装置では、抽斗の後部となる背板部分の一部を手前側に凹ませることにより、当該障害物を避けるための逃げ凹部が形成されている。この場合、障害物の設置場所を除く抽斗の奥行きをキャビネットの奥部まで延ばすことができるので、この抽斗の収納スペースが拡張され、キャビネットの内部空間を収納スペースとして有効に活用できる。
【０００５】
図１２および図１３は、上記逃げ凹部が抽斗の後部に形成された従来の抽斗装置を示している。
このうち、図１２に示す抽斗装置は、前方が開口したキャビネット３０と、このキャビネット３０に前後方向にスライド自在に収納された抽斗３１からなり、この抽斗３１の後部に逃げ凹部３５が形成されている。抽斗３１は、キャビネット３０の横幅とほぼ同一長さの幅寸法を有する前板３２と、この前板３２の背面側に取り付けられた左右一対の収納箱３３，３３と、この収容箱３３，３３の間に架設された収納容器３４とを備えている。
収納容器３４はこれを挟む収容箱３３，３３よりも奥行きが短寸になっており、これにより、収納容器３４の背後に障害物を避けるための逃げ凹部３５が形成されている（特許文献１参照）。
【０００６】
図１３に示す抽斗装置も、キャビネット４０に前後方向にスライド自在に収納された抽斗４１の後部に逃げ凹部３５が形成されているが、この場合の抽斗４１では、前板４２の背面側に収納箱４３が一つだけ取り付けられている。
この収納箱４３は、底板４３ａと、この底板４３ａの後端部に立設された後板４３ｂ及びコ字型背板４６を有しており、コ字型背板４６は、長方形状の逃げ凹部４５に対応して互いに接合された三方枠の木質板材より構成されている。
【０００７】
【特許文献１】特開２００３−２９９５３２号公報
【発明の開示】
【発明が解決しようとする課題】
【０００８】
上記従来の抽斗装置では、障害物を避けるための逃げ凹部を有する抽斗の構造が複雑であるため、その抽斗を製作するに当たってその組み立て作業の負荷と材料コストが高くなるという問題がある。
例えば、図１２に示す抽斗３１では、左右一対の収納箱３３，３３の間に収納容器３４を架設した構造になっているので、その組み立て作業が煩雑であり、３つの箱体が必要になるために材料コストも高くなる。また、図１３に示す抽斗４１では、長方形の逃げ凹部の形状に合うように、木質板材を三方枠状に組み立ててコ字型背板４６を構成する必要があるので、この場合も組み立て作業の負荷が高いものとなっている。
本発明は、このような問題点に鑑み、障害物との干渉を避ける逃げ凹部を有する抽斗の材料コストを低減でき、しかも、その組み立て作業を容易に行うことができる抽斗装置等を提供することを目的とする。
【課題を解決するための手段】
【０００９】
本発明は、前方が開口したキャビネットと、このキャビネットに前後方向にスライド自在に収納された抽斗とを備え、前記キャビネット内に設置された障害物を避けるための逃げ凹部が形成された背面壁が前記抽斗の後部に設けられている抽斗装置において、前記背面壁が前記逃げ凹部の平面輪郭形状に対応して面外変形可能なフレキシブルプレートよりなることを特徴とする。
【００１０】
本発明の抽斗装置によれば、上記背面壁が逃げ凹部の平面輪郭形状に対応して面外変形可能なフレキシブルプレートよりなるので、当該プレートを逃げ凹部と同じ平面輪郭形状に面外変形させた状態で抽斗の後部に取り付けることにより、逃げ凹部を形成するための背面壁を当該フレキシブルプレートのみで形成することができる。
従って、３つの箱体を幅方向に並設して抽斗の後部に逃げ凹部を形成する従来例（図１２）や、三方枠状のコ字型背板で逃げ凹部を形成する従来例（図１３）の場合に比べて、逃げ凹部を形成するための背面壁の構造が簡単になる。このため、逃げ凹部を有する抽斗の部品点数を削減でき、その材料コストを低減できるとともに、当該抽斗の組み立て作業も容易になる。
【００１１】
本発明の抽斗装置において、前記フレキシブルプレートは、逃げ凹部の平面輪郭形状に対応して面外変形可能な変形特性を有するものであれば、その材質は特に限定されるものではないが、例えば、切断用の手動工具を用いて人力で切断可能な厚さの合成樹脂板より構成することができる。
この場合、フレキシブルプレートを用いて逃げ凹部を有する抽斗を製作する際に、はさみ、カッター、若しくはその他の刃物などの手動工具でフレキシブルプレートを切断できるので、切断に手動鋸もしくは電動鋸などの電動工具を必要とする従来の抽斗装置に比べて、切断加工が容易になる。
【００１２】
また、上記合成樹脂板は薄板であるから、従来のように木質板材で抽斗の背面壁を構成する場合に比べて、その背面壁の厚みも薄くなる。従って、その厚みが薄くなった分だけ抽斗の収納スペースを拡張することができる。
更に、本発明の抽斗装置において、前記フレキシブルプレートは、前記抽斗の底板の上面に当接してその底板に対する上下方向の位置決めを行なうための当接フランジを有しているのが好ましい。
この場合、当接フランジを底板の上面に当接させることで、底板に対するフレキシブルプレートの上下方向の位置決めを行えるので、抽斗を製作する際に、差し金等のメジャーを利用しなくてもフレキシブルプレートを底板に対して正確に位置合わせでき、この点で抽斗の組み立て作業が容易になる。
【００１３】
また、本発明の抽斗装置において、前記逃げ凹部の平面輪郭形状は、フレキシブルプレートを面外変形させて製作できる形状であれば特に限定されないが、折れ点がない状態で連続する曲線部と直線部の組合せ、或いは、折れ点がない状態で連続する曲線部のみから構成されているが好ましい。
その理由は、逃げ凹部の平面輪郭形状に折れ点（線分の不連続接点）が含まれていると、フレキシブルプレートをその折れ点に合わせて塑性変形させねばならず、背面壁の製作手間が多くなるからである。
【００１４】
これに対して、逃げ凹部の平面輪郭形状が折れ点のない上記形状である場合には、フレキシブルプレートを折り曲げて塑性変形させる必要がなく、当該プレートを比較的簡単に両手で湾曲変形させることができるので、背面壁の製作が簡単になって抽斗の組み立て作業が容易になる。
しかも、障害物の一種であるディスポーザーの平面形状はほぼ円形であることが多いので、逃げ凹部が上記折れ点のない平面輪郭形状であれば、逃げ凹部の曲線部をディスポーザーにぎりぎりまで近づける寸法設定が可能となる。このため、逃げ凹部によってディスポーザとの干渉を避けつつも、抽斗の収納空間をできるだけ広く取ることができる。
【００１５】
また、本発明は、抽斗を構成する底板に形成した逃げ凹部側の縁に沿って立設される背面壁として使用する、平板状のフレキシブルプレートであって、前記逃げ凹部の平面輪郭形状に対応して面外変形可能であることを特徴とする。
本発明のフレキシブルプレートによれば、これを面外変形させることで逃げ凹部の平面輪郭形状に対応した背面壁を形成することができる。つまり、一枚のフレキシブルプレートで背面壁を作ることができるので、従来の抽斗装置（図１２及び図１３）に比べて、材料コストを低減できるとともに、組み立て作業も容易になる。
【００１６】
また、上記平板状のフレキシブルプレートは、逃げ凹部の平面輪郭形状に対応して面外変形可能であるから、キャビネット製品の機種変更や障害物の違いによって逃げ凹部の形状や寸法が変化しても、同じ材料のフレキシブルプレートをそのまま利用して背面壁を製作することができる。
このため、逃げ凹部の形状の変化に対応するために、特殊形状の部材（例えば図１２の収納容器３４）を採用する必要がなく、部品点数を削減できて在庫管理も容易になる。
【００１７】
また、本発明は、キャビネット内に設置された障害物を避けるための逃げ凹部が抽斗の後部に形成されている抽斗装置の製造方法であって、以下の工程（１）〜（３）を含むことを特徴とする。
（１）  前記抽斗の構成部材である底板に前記逃げ凹部を形成する工程
（２）  平板状のフレキシブルプレートを前記逃げ凹部の平面輪郭形状に対応して面外変形させる工程
（３）  面外変形させた前記フレキシブルプレートを前記底板の逃げ凹部側の縁に沿って立設する工程
【００１８】
本発明の製造方法によれば、逃げ凹部の平面輪郭形状に合わせて面外変形させ（工程（２））、そのように変形させたフレキシブルプレートを底板に取り付けるだけで前記抽斗の背面壁を形成することができる（工程（３））ので、従来のように複数の箱体や複数の板材を利用して背面壁を構成する場合に比べて組み立て作業が容易であり、また、部品点数も少なくなって材料コストを低減することができる。
【発明の効果】
【００１９】
以上の通り、本発明によれば、障害物との干渉を避ける逃げ凹部が抽斗の後部に形成されている抽斗装置において、その逃げ凹部の平面輪郭形状に対応して面外変形可能なフレキシブルプレートで背面壁を構成するようにしたので、従来の逃げ凹部付きの抽斗を有する抽斗装置に比べて、材料コストを削減できかつ組み立て作業も容易になる。
【発明を実施するための最良の形態】
【００２０】
以下、図面に基づいて本発明の一実施形態を説明する。
図１は、本実施形態に係る抽斗装置の斜視図であり、図２は、抽斗装置を構成する抽斗の平面図である。また、図３は、フレキシブルプレートの取付前の平面図であり、図４は、図３のＡ−Ａ線断面図である。
図１に示すように、本実施形態の抽斗装置１は、前方が開口したキャビネット２と、このキャビネット２に前後方向にスライド自在に収納された抽斗５とを備えており、キャビネット２の上部にはシンク３が設けられている。このシンク３の中央部には、キャビネット３の内の排水管に通じる排水口が形成され、その排水管の中途部には、キャビネット２内の障害物としての排水トラップ４が形成されている。
【００２１】
抽斗５は、化粧板よりなる前板５ａと、この前板５ａの背面側に連結された底板６と、この底板６の後部に立設された後板７及び背面壁８とを備えており、この底板６の後部に逃げ凹部１１が形成されている。
上記逃げ凹部１１は、抽斗５と排水トラップ４の干渉を避けるためのもので、図例では底板６をほぼＵ字状に切断することによって形成されている。また、この逃げ凹部１１を形成するために、後板７の中央部が分断されている。背面壁８は、逃げ凹部１１の平面輪郭形状に対応して形成されており、止め金具９及び図示しない止めねじとにより、底板６及び後板７に固定されている。
【００２２】
上記逃げ凹部１１の平面輪郭形状は、排水トラップ４の形状や大きさに合わせて種々に選定されるが、例えば、本実施形態では、図２（ａ）及び（ｂ）のような形状になっている。このうち図２（ａ）に示す逃げ凹部１１は、アーチ状の曲線部１１ａの左右両側に直線部１１ｂ，１１ｂをそれぞれ連続的にすりつけた形状となっており、これらの曲線部１１ａ及び直線部１１ｂ，１１ｂが折れ点のない状態で連続した形状となっている。
また、図２（ｂ）に示す逃げ凹部１１は、半円状の曲線部１１ｃと、その左右両側の直線部１１ｂ，１１ｂとからなり、この場合も、これらの曲線部１１ｃ及び直線部１１ｂ，１１ｂが折れ点のない状態で連続した形状となっている。
【００２３】
前記背面壁８には、図３および図４に示すようなフレキシブルプレート８ａが使用されている。
図３および図４に示すように、使用前のフレキシブルプレート８ａは長方形の横長の平板状である。また、フレキシブルプレート８ａは、厚さが１．５ｍｍ程度の合成樹脂製の薄板よりなり、製造作業者が両手で曲げることによって逃げ凹部１１の曲線部１１ａ，１１ｃに沿うように面外変形できる程度の弾力性を有する。更に、フレキシブルプレート８ａは、はさみ、カッター若しくはその他の刃物などの手動工具で切断できる。
【００２４】
そして、上記フレキシブルプレート８ａは、逃げ凹部１１の平面輪郭形状に対応して面外変形され、この変形状態で、底板６と後板７の逃げ凹部１１側の縁に沿って立設されている。
本実施形態のフレキシブルプレート８ａは長さが不定の長尺物よりなり、その幅寸法Ｂ（図５（ｃ）参照）は、抽斗５の後板７の高さに底板６の厚さを足し合わせた高さ寸法と同じになっている。従って、後述の通り、当該プレート８ａを背面壁８の構成材料として利用する場合には、逃げ凹部１１に対応した所定長さＣに切断される。
【００２５】
もっとも、フレキシブルプレート８ａの幅寸法が上記高さ寸法と一致しない場合には、当該プレート８ａをその高さ寸法と一致するように切断するようにすればよい。
このように、本実施形態では、逃げ凹部１１の平面輪郭形状に合わせて面外変形可能なフレキシブルプレート８ａを、逃げ凹部１１側の縁に立設される背面壁８の構成部材として利用するようにしたので、逃げ凹部１１を形成するための背面壁８を一枚のフレキシブルプレート８ａのみで形成することができる。
従って、当該背面壁８の構造が簡単になるため、逃げ凹部１１を有する抽斗５の部品点数を削減でき、その材料コストを低減できるとともに、後述の製造方法の説明でも明らかな通り、当該抽斗５の組み立て作業も容易になる。
【００２６】
図５は、抽斗５の組み立て手順を示す工程図である。この図５を参照しつつ、本実施形態の抽斗５の製造方法を説明する。
まず、図５（ａ）および（ｂ）に示すように、障害物（排水トラップ４）を避けるのに十分な形状及び寸法で、抽斗５の後部を切断する。すなわち、抽斗５の底板６および後板７の一部を切断して、抽斗５の後部に逃げ凹部１１を形成する。
このとき、後板７の高さに底板６の厚さを加えた寸法をＢ、底板６の逃げ凹部１１側の縁の長さ寸法をＣとすると、図５（ｃ）に示すように、底板６の逃げ凹部１１側の縁の長さ寸法に合わせるために、フレキシブルプレート８ａの長手方向寸法を上記長さ寸法Ｃとなるように切断する。なお、本実施形態のフレキシブルプレート８ａの幅寸法は初めからＢであるから、幅方向の切断作業は不要である。
【００２７】
次に、図５（ｄ）に示すように、所定寸法Ｃに切断されたフレキシブルプレート８ａの両端を両手で掴み、逃げ凹部１１の平面輪郭形状に対応するために、フレキシブルプレート８ａを両手で曲げて面外変形させる。
そして、図５（ｅ）および（ｆ）に示すように、そのように面外変形させたフレキシブルプレート８ａを底板６の逃げ凹部１１側の縁に沿って当接させ、更に、止め金具９とねじ１０でフレキシブルプレート８ａを底板６と後板７に取り付ける。
このようにして、フレキシブルプレート８ａを取り付けることにより、背面壁８が立設され、逃げ凹部１１が抽斗５の後部に形成される。
【００２８】
この製造方法によれば、逃げ凹部１１の平面輪郭形状に合わせて面外変形させた一枚のフレキシブルプレート８ａを底板６および後板７に取り付けるだけで背面壁８を形成することができるので、複数の板材で背面壁８を構成する場合に比べて、組み立て作業が容易であり、また、部品点数も少なくなって製作コストを低減することができる。
また、排水トラップ４等の障害物の形状や寸法に対応して逃げ凹部１１の平面輪郭形状を変化させたい場合があるが、本実施形態では、フレキシブルプレート８ａを種々の形状に面外変形させることができるので、種々の形状の逃げ凹部１１に適合した背面壁８を一種類のフレキシブルプレート８ａで形成できるという利点もある。
【００２９】
図６乃至図８は、フレキシブルプレート８ａの変形例を示している。
図６は、そのフレキシブルプレート８ａの変形例を示す平面図であり、図７は、図６のＤ−Ｄ線断面図である。図８は、変形例に係るフレキシブルプレート８ａの取付状態を示す断面図である。
この場合のフレキシブルプレート８ａは、抽斗５の底板６の上面に当接して底板６に対する上下方向の位置決めを行なうための当接フランジ８ｂを有している。
すなわち、図３および図４に示すフレキシブルプレート８ａの表面が突起物の無い平坦状であるのに対して、変形例のフレキシブルプレート８ａは、下縁部に底辺と平行な直線状の当接フランジ８ｂを有している。なお、当接フランジ８ｂは、フレキシブルプレート８ａの底辺から底板６の厚さと略同一の高さ寸法の位置に配置されている。
【００３０】
図８に示すように、上記フレキシブルプレート８ａの取付状態において、当接フランジ８ｂは底板６の上面に当接される。この場合、差し金等のメジャーで測定しなくても、底板６に対するフレキシブルプレート８ａの上下方向の位置を簡単に決定することができるので、底板６に対するフレキシブルプレート８ａの取り付け作業が容易になる。
また、このとき、フレキシブルプレート８ａと底板６との接合部分が当接フランジ８ｂによって上方から被覆されるので、化粧用のテープを貼り付けることなく当該接合部分の美観を向上させることができる。
【００３１】
図９乃至図１１はフレキシブルプレート８ａの他の変形例を示している。
図９は、そのフレキシブルプレートの他の変形例を示す平面図であり、フレキシブルプレート８ａは、上下方向に離れて平行な一対の当接フランジ８ｂ，８ｂを有している。図１０は、図９のＥ−Ｅ線断面図であり、図１１は、他の変形例に係るフレキシブルプレートの取付状態を示す断面図である。
図９および図１０に示すように、この一対の当接フランジ８ｂ，８ｂのうち、上側の当接フランジ８ｂは、フレキシブルプレート８ａの下縁から底板６の厚さと略同一の高さ寸法の位置に形成され、下側の当接フランジ８ｂは、フレキシブルプレート８ａの底縁に沿って形成されている。
【００３２】
このフレキシブルプレート８ａによれば、図１１に示すように、上下一対の当接フランジ８ｂ，８ｂがそれらの間で底板６を上下方向から挟着するので、底板６に対するフレキシブルプレート８ａの上下方向の位置決めが更に容易になる。
その他の点については、図８の変形例の場合と異なるところはないので、詳細な説明は省略する。
【００３３】
なお、本発明は上記実施形態に限定されるものではない。
例えば、上記実施形態では、背面壁８を構成するフレキシブルプレート８ａを止め金具９とねじ１０によって取り付けているが、この取り付けに使用する固定手段はこれに限られるものではなく、瞬間接着剤やタッカー等を採用することができる。
もっとも、タッカーを用いる場合には底板９や後板７に対する打ち込み作業が容易になる利点があるが、底板６と後板７の材質がタッカーを利用できる材質に限定される。
【００３４】
その他の点については、上記実施形態と同様の効果を得ることができる。このように、本発明の要旨を逸脱しない範囲において種々なる態様で実施し得る。
【図面の簡単な説明】
【００３５】
【図１】本発明の一実施形態に係る抽斗装置の斜視図である。
【図２】抽斗装置を構成する抽斗の平面図であり、（ａ）は背面壁の曲線部がアーチ状の場合、（ｂ）は背面壁の曲線部が半円状の場合を示している。
【図３】フレキシブルプレートの取付前の平面図である。
【図４】図３のＡ−Ａ線断面図である。
【図５】抽斗の組み立て手順を示す工程図である。
【図６】フレキシブルプレートの変形例を示す平面図である。
【図７】図６のＤ−Ｄ線断面図である。
【図８】変形例に係るフレキシブルプレートの取付状態を示す断面図である。
【図９】フレキシブルプレートの他の変形例を示す平面図である。
【図１０】図９のＥ−Ｅ線断面図である。
【図１１】他の変形例に係るフレキシブルプレートの取り付け状態を示す断面図である。
【図１２】従来の抽斗装置の斜視図である。
【図１３】従来の抽斗装置の斜視図である。
【符号の説明】
【００３６】
１      抽斗装置
２      キャビネット
３      シンク
４      排水トラップ（障害物）
５      抽斗
６      底板
７      後板
８      背面壁
８ａ    フレキシブルプレート
８ｂ    当接フランジ
９      止め金具
１０      ねじ
１１      逃げ凹部
【図１】
2008264207.tif 000003
【図２】
2008264207.tif 000004
【図３】
2008264207.tif 000005
【図４】
2008264207.tif 000006
【図５】
2008264207.tif 000007
【図６】
2008264207.tif 000008
【図７】
2008264207.tif 000009
【図８】
2008264207.tif 000010
【図９】
2008264207.tif 000011
【図１０】
2008264207.tif 000012
【図１１】
2008264207.tif 000013
【図１２】
2008264207.tif 000014
【図１３】
2008264207.tif 000015